(57)【特許請求の範囲】
【請求項１】
第１の動作モードとして第１の映像信号と第１の音声信号とを、第２の動作モードとして前記第１の映像信号よりフレーム周波数が低い第２の映像信号と前記第１の音声信号と単位時間当たりのデータ量がほぼ同一の第２の音声信号とを、動作モードにより選択的に記録する装置であって、
動作モードに応じて、前記第１の映像信号または前記第２の映像信号を入力し、入力された映像信号とフレーム周波数が同一の映像記録データを得る映像処理手段と、
動作モードに応じて、前記第１の音声信号または前記第２の音声信号を入力し、対応する第１または第２の映像信号の１フィールドまたは１フレーム期間内に入力される音声信号に外符号と内符号から構成される積符号を付加して音声記録データを得る音声処理手段と、
前記映像記録データと前記音声記録データとを、記録媒体にディジタル記録するための処理を行う記録処理手段とを備え、
第２の動作モードにおいて、前記音声処理手段で音声信号に付加される外符号のパリティ数を、第１の動作モードの場合より少なくし、動作モードに関わらず音声記録データを前記記録媒体の同一サイズの記録エリアに記録することを特徴とする記録再生装置。
【請求項２】
第１の動作モードとして第１の映像信号と第１の音声信号とを、第２の動作モードとして前記第１の映像信号よりフレーム周波数が低い第２の映像信号と前記第１の音声信号と単位時間当たりのデータ量がほぼ同一の第２の音声信号とを、動作モードにより選択的に記録する装置であって、
動作モードに応じて、前記第１の映像信号または前記第２の映像信号を入力し、入力された映像信号とフレーム周波数が同一の映像記録データを得る映像処理手段と、
動作モードに応じて、前記第１の音声信号または前記第２の音声信号を入力し、対応する第１または第２の映像信号の１フィールドまたは１フレーム期間内に入力される音声信号に外符号と内符号から構成される積符号を付加して音声記録データを得る音声処理手段と、
前記映像記録データと前記音声記録データとを、記録媒体にディジタル記録するための処理を行う記録処理手段とを備え、
１フィールドまたは１フレーム期間当たりの音声記録データのデータ量が、第１の動作モード時と第２の動作モード時とで同じになるように、第１の動作モード時は音声記録データにダミーデータを付加し、動作モードに関わらず音声記録データを前記記録媒体の同一サイズの記録エリアに記録することを特徴とする記録再生装置。
【請求項３】
第１の映像データと第１の音声データとを記録媒体にディジタル記録する第１の記録フォーマットをもとに、さらに音声拡張データを記録可能とした第２の記録フォーマットで記録する、または前記第１の映像データよりフレーム周波数が低い第２の映像データと第２の音声データとを記録可能とした第３の記録フォーマットで記録する装置であって、
前記第１の記録フォーマットは、前記第１の映像データと前記第１の音声データとに、外符号と内符号からなる積符号を付加して記録するものであり、
前記第２の記録フォーマットは、前記第１の映像データと前記第１の音声データと前記音声拡張データとに、外符号と内符号からなる積符号を付加して記録するものであり、
前記第３の記録フォーマットは、前記第２の映像データと前記第２の音声データとに、外符号と内符号からなる積符号を付加して記録するものであり、
前記第１の映像データを入力し、前記第１または第２の記録フォーマットのデータ形式の第１の映像記録データを得る、または前記第２の映像データを入力し、前記第３の記録フォーマットのデータ形式の第２の映像記録データを得る映像処理手段と、
前記第１の音声データを入力し、前記第１の記録フォーマットのデータ形式の第１の音声記録データを得る第１の音声処理手段と、
前記音声拡張データを入力し、前記第２の記録フォーマットのデータ形式の第２の音声記録データを得る第２の音声処理手段と、
前記第２の音声データを入力し、前記第３の記録フォーマットのデータ形式の第３の音声記録データを得る第３の音声処理手段と、
前記第１の映像記録データと前記第１、２の音声記録データとを、または前記第２の映像記録データと前記第３の音声記録データとを記録媒体に記録するための処理を行う記録処理手段とを備え、
第１の音声記録データと第２の音声記録データとにダミーデータを追加し、記録媒体上に記録されるデータ量を第３の音声記録データと同一とすることを特徴とする記録再生装置。
【請求項４】
第２の記録フォーマットは、ビットレートを増加させることで第１の記録フォーマットの音声データ記録エリアを記録トラック方向に連続的に拡大し、拡大された音声データ記録エリアに第２の音声記録データを記録することを特徴とする請求項３記載の記録再生装置。
【請求項５】
第３の記録フォーマットは、ビットレートを増加させることで第１の記録フォーマットの音声データ記録エリアを記録トラック方向に連続的に拡大し、拡大された部分を含む音声データ記録エリアに第３の音声記録データを記録することを特徴とする請求項３記載の記録再生装置。
【請求項６】
ダミーデータが記録される領域に制御データを記録することを特徴とする請求項２または３に記載の記録再生装置。
【請求項７】
制御データに外符号パリティを付加して記録することを特徴とする請求項６に記載の記録再生装置。
【発明の詳細な説明】
【０００１】
【発明の属する技術分野】
本発明は、例えばディジタルＶＴＲ等のように、映像信号や音声信号等のデータを記録または再生する記録再生装置に関する。
【０００２】
【従来の技術】
近年、新しい放送方式として、ＨＤＴＶ（高精細度ＴＶ：high definition television）方式が開発されており、米国においては、既にＤＴＶ放送として放送が開始されている。
【０００３】
ＤＴＶ放送は、映像信号をＩＳＯ／ＩＥＣ１３８１８規格として開示されているＭＰＥＧ（Moving Picture Experts Group）２方式で符号化し、高能率符号化された多チャンネルの音声信号とともにディジタル放送として放送するものである。ディジタル放送では、映像信号を圧縮符号化しており、少ない周波数帯域で多くのチャンネルを伝送することができ、高画質化や多チャンネル化が可能となった。
【０００４】
このような状況のなかで、ＨＤＴＶ方式に対応した取材用機器やスタジオ用機器等も多数開発されている。しかしながら、ＨＤＴＶ方式に対応した取材用機器やスタジオ用機器等は高価であるため、新たにＨＤＴＶ放送用素材を一から作り直すことは、コストや時間の面からも極めて困難である。そこで、映画のフィルムをＴＶ用に変換して放送用素材が作られている。例えば、米国のＤＴＶ放送においては、映画素材をもとに作成した素材を放送することが一般的となっている。
【０００５】
素材に映画のフィルムを用いた場合、映画フィルムは、１秒間のコマ数が２４枚、すなわちフレーム周波数が２４Ｈｚの順次走査信号（以下、２４ｐ信号と称する）であるので、一般的なフレーム周波数３０ＨｚのＴＶ信号を扱うＶＴＲに記録するためには、フレーム周波数の変換が必要となる。映画をＴＶ信号に変換することは、一般的にはテレシネ変換と呼ばれている。テレシネ変換は、映画フィルムの１コマから、時系列の順に２フィールド、３フィールド、２フィールド、３フィールドのフィールド画像を作成することを繰り返すことにより、フレーム周波数を変換する。
【０００６】
しかしながら、テレシネ変換された信号を従来のＶＴＲで記録した場合には、同じフィールド画像の繰り返しが存在するため、編集に制限が生じる。すなわち、編集点を元のフィルムのコマの切れ目と一致させる必要があるため、映画素材をそのまま、すなわちフレーム周波数２４ＨｚでＶＴＲに記録することが望まれていた。
【０００７】
以上説明した２４ｐ信号を記録するＶＴＲの一例として、ＨＤＴＶ信号を圧縮符号化し、ＳＭＰＴＥ（Society of Motion Picture and Television Engineers）２７９Ｍ規格で開示されているＤ５方式のＶＴＲに記録再生する、いわゆるＨＤ−Ｄ５方式のＶＴＲを用いて２４ｐ信号を記録する方法について説明する。
【０００８】
図１１は、フレーム周波数３０Ｈｚ（フィールド周波数６０Ｈｚ）の映像信号を記録再生するＨＤ−Ｄ５方式のＶＴＲを利用して、２４ｐ信号を記録再生するための信号処理部の構成の一例を示したブロック図である。
【０００９】
図１１において、入力端子１０４０には、走査線数１１２５本、有効走査線数１０８０本、フィールド周波数６０Ｈｚの飛び越し走査方式の映像信号（以下、６０ｉ信号と称する）、あるいは走査線数１１２５本、有効走査線数１０８０本、フレーム周波数２４Ｈｚの順次走査方式の映像信号（２４ｐ信号）が入力される。
【００１０】
また、入力端子１０３０には、ＡＥＳ／ＥＢＵで規定されたディジタル音声信号のチャンネル１とチャンネル２の音声信号が入力される。また、入力端子１０３１には、同じくディジタル音声信号のチャンネル３とチャンネル４の音声信号が入力される。ここで、音声信号のサンプリング周波数は４８ｋＨｚ、ビット数は２０ビットである。
【００１１】
初めに、入力端子１０４０に、走査線数１１２５本、有効走査線数１０８０本、フィールド周波数６０Ｈｚの飛び越し走査方式の映像信号（６０ｉ信号）が入力された場合について説明する。６０ｉ信号が入力された場合、ＶＴＲの動作するフレーム周波数は、３０Ｈｚとなる。
【００１２】
入力端子１０４０には、６０ｉ信号が入力され、入力処理手段１００５で、入力から映像データが取り出される。圧縮符号化手段１００７においてフィールド単位でＤＣＴ（Discrete Cosine Transform）を用いた圧縮符号化が行われて、データ量が約１／４に圧縮された映像符号化データを得る。映像符号化データは、外符号付加手段１００８において、誤り訂正のために外符号パリティが付加され、多重化手段１００９に送られる。外符号は、リードソロモン符号ＲＳ（１２８，１２０）符号であり、１２０バイトの映像データに対し８バイトの外符号パリティが付加される。
【００１３】
次に、音声信号の処理方法について説明する。
【００１４】
図１１において、入力端子１０３０，１０３１からのディジタル音声信号は、それぞれ入力処理手段１０００，１００１に入力される。入力処理手段１０００，１００１において、記録すべき２０ビットの音声データが取り出される。取り出された音声データは、サンプリング周波数変換手段１００２をそのまま通過する。
【００１５】
次に、サンプリング周波数変換手段１００２を通過した音声データは、シャフリング手段１００３において、それぞれのチャンネル毎で、フィールド内でサンプルの順番を入れ替えるいわゆるシャフリング処理が行われる。シャフリングされた音声データには、それぞれのチャンネル毎に外符号付加手段１００４において外符号パリティが付加され、多重化手段１００９に送られる。
【００１６】
図１２は、音声１チャンネル、１フィールド当たりの外符号と内符号から構成される積符号の構成を示している。図１２において縦方向が外符号ブロック、横方向が内符号ブロックとなる。但し図１２において内符号ブロックの内符号パリティは省略している。外符号はリードソロモン符号ＲＳ（１６，８）であり、図１２に示すように音声データ８バイト分に対し８バイトの外符号パリティが付加される（１バイトは８ビットで構成される）。音声サンプルは、１サンプルが２０ビットなので１サンプル当たり２．５バイトが必要であり、図１２に示すように１チャンネル、１フィールド当たりで記録可能な音声サンプル数は、８５／２．５×３×８＝８１６（サンプル）となる。
【００１７】
一方、映像信号のフレーム周波数が３０Ｈｚ（フィールド周波数が６０Ｈｚ）の場合、４８ｋＨｚでサンプリングされたディジタル音声信号の、１チャンネル１フィールド当たりの音声サンプル数は、４８０００／６０＝８００（サンプル）となる。すなわち、上記で示したように１チャンネル１フィールド当たりで記録可能な音声サンプル数は、８００サンプルを超えているため、テープ上に、入力された音声データを全て記録することが可能である。
【００１８】
次に、記録信号を記録媒体である磁気テープに記録するヘッド（磁気ヘッド）を搭載し、これを回転させて磁気テープに記録させるためのドラム構成を図１３に示す。図１３に示すように、８Ａ，８Ｂ，８Ｃ，８Ｄの４個の記録ヘッドを一組として、１８０度対向した位置に同様に８Ｅ，８Ｆ，８Ｇ，８Ｈの４個のペア記録ヘッドが取り付けられている。隣り合うヘッド同士には、アジマス角が付けられており、例えば、８Ａと８Ｃおよび８Ｂと８Ｄに同一アジマス角、８Ａと８Ｂおよび８Ｃと８Ｄに異なるアジマス角が付けられている。また、記録ヘッドと９０度ずれた位置に、同じく４個を一組とした再生ヘッドが２組１８０度対向する位置に取り付けられている。図１３のヘッド構成で、４個の記録ヘッドを用いて同時にテープ上に記録を行う。ドラムが１８０度回転すると４本のトラックがテープ上に形成され、ドラムが１８０度回転して記録された４本のトラックをセグメントと呼ぶ。１フィールド期間（１／６０秒）に、ドラムが５４０度回転するため、１フィールド期間は３セグメントに分割される。
【００１９】
図１４にテープ上のトラックパターンを示す。トラックＡ，Ｂ，Ｃ，Ｄは、それぞれ、図１３の記録ヘッド８Ａ〜８Ｄによって記録されたものである。また、記録ヘッド毎にヘッドのチャンネル番号を付加し、１個のセグメントは、ＣＨ０からＣＨ３の４チャンネルに分割され、１フィールド期間は４チャンネル３セグメント、合計１２トラックに分割されてテープ上に記録される。
【００２０】
次に、多重化手段１００９では、外符号付加手段１００４からの音声データ１０３２と、外符号付加手段１００８からの映像データ１０３３とを多重化する。多重化された映像データと音声データは、それぞれ記録されるヘッドのチャンネル毎に分割され、ＩＤ付加手段１０１０においてＩＤ番号を付加される。ＩＤ番号は、同期信号を付加した記録再生時の最小単位である同期ブロック毎に付加され、同期ブロックの種類や順番を識別するために付加されている。
【００２１】
テープ上のトラック内のフォーマットを図１５に示す。１本のトラックは、２個のビデオセクタ（ビデオセクタ１，２）と、４個のオーディオセクタ（オーディオセクタ１〜４）に分割される。ビデオセクタは、それぞれ２５６個の同期ブロックで構成され、また、オーディオセクタは、それぞれ４個の同期ブロックで構成される。ビデオセクタとオーディオセクタの間および各オーディオセクタ間には、セクタ単位で記録を行う場合、隣のセクタを消去することのないようエディットギャップが設けられている。また、図１５のオーディオセクタに示したＡ１，Ａ２，Ａ３，Ａ４の記号は、それぞれ、チャンネル１、チャンネル２、チャンネル３、チャンネル４の音声信号を示しており、例えば、Ａ１で示されたオーディオセクタには、チャンネル１の音声だけが記録される。つまり、音声信号はそれぞれのチャンネル毎に独立して、テープ上のオーディオセクタに記録される。
【００２２】
ＩＤ番号の定義を図１６に示す。図１６に示すように、ＩＤ番号は、８ビットのＩＤ０と８ビットＩＤ１の計２バイトで構成される。ＩＤ０は、９ビットのブロック番号（Ｂ０〜Ｂ８）のうち、下位８ビット（Ｂ０〜Ｂ７）で構成される。ブロック番号は同期ブロック毎に付加されており、図１７にブロック番号の詳細を示す。ブロック番号は、同期を確立するために設けられたプリアンブル部（Pre0，Pre1）、ポストアンブル部（Post）を除いて、ビデオセクタでは、000hから0FFh、オーディオセクタでは、180hから183h、1C0hから1C3hである。上記の数値に続くhの記号は、その数値が１６進数であることを示し、以下の文章においても同じ表現を用いる。図１６に示すＩＤ１は、ビデオセクタとオーディオセクタで定義を一部変えている。ビデオセクタでは、ＩＤ１は、ＬＳＢ側から、ブロック番号のＭＳＢ（Ｂ８）、セグメント番号（Ｓ０，Ｓ１）、トラック番号のＭＳＢ（Ｃ）、フィールド番号（Ｆ０，Ｆ１）、セクタ番号（ＳＣ）となる。
【００２３】
セグメント番号は、セグメントを判別するためのもので、０から２の３つ値をとる。トラック番号のＭＳＢは、トラックのチャンネルを判別するためのもので、ＣＨ０，ＣＨ１のトラックでは０、ＣＨ２，ＣＨ３のトラックで１となる。フィールド番号は、入力信号のフィールド番号を表しており、０から３までの４つ値となる。セクタ番号は、セクタ同士を判別するためのもので、０または１の値となる。
【００２４】
一方、オーディオセクタでは、ＩＤ１は、ＬＳＢ側から、ブロック番号のＭＳＢ（Ｂ８）、セグメント番号（Ｓ０，Ｓ１）、トラック番号のＭＳＢ（Ｃ）、フィールド番号（Ｆ０，Ｆ１）、サンプル数フラグ（Ｆ２）、セクタ番号（ＳＣ）となる。サンプル数フラグは、音声信号の５フィールドシーケンスを識別するために設けており、１フィールド期間の音声サンプル数が、８０１サンプルであるか８００サンプルであるかを示している。ブロック番号のＭＳＢ、セグメント番号、トラック番号のＭＳＢ、フィールド番号、セクタ番号の定義は、ビデオセクタと同じである。
【００２５】
また、図１７において、同一のブロック番号が付加された同期ブロックは、セクタ番号で識別する。
【００２６】
次に、ＩＤ付加手段１０１０の出力に、内符号付加手段１０１１において内符号パリティを付加し内符号ブロックを構成する。
【００２７】
図１８は、内符号ブロックを含む同期ブロックの構成を示しており、同期ブロックは同期信号（ＳＹＮＣ）と内符号ブロック（ＩＤ０，ＩＤ１，ＤＡＴＡ，ＰＡＲＩＴＹ）から構成される。内符号はリードソロモン符号ＲＳ（９５，８７）であり、内符号ブロックは、２バイトのＩＤ部と８５バイトのデータ部と、それらに対して付加された８バイトの内符号パリティから構成される。
【００２８】
次に、同期信号付加手段１０１２において、内符号ブロックに対して２バイトの同期信号を先頭に付加し、図１８に示すような同期ブロックを構成する。同期信号付加手段１０１２の出力は、変調手段１０１３において８−１４変調され、記録信号１０３４がテープ上に記録される。
【００２９】
一方、テープから再生された再生信号１０３５は、復調手段１０１４において、変調手段１０１３とは逆の処理、すなわち８−１４復調され、同期信号検出手段１０１５において同期信号を検出し、同期確立が図られる。
【００３０】
そして、内符号誤り訂正手段１０１６において、内符号ブロック単位で誤り訂正が行われ、ＩＤ検出手段１０１７において、ＩＤ番号が検出される。そして、分離手段１０１８において、映像データ１０３７と音声データ１０３６とに分離される。分離された映像データ１０３７は、外符号誤り訂正手段１０２４において誤り訂正が行われる。誤り訂正された映像データは、圧縮復号化手段１０２５において圧縮復号化され、もとの６０ｉ信号が復元される。そして、出力処理手段１０２７において映像同期信号の付加等が行われてＨＤＴＶ信号となり、出力端子１０４１より出力される。圧縮復号化手段１０２５においては、圧縮符号化手段１００７と逆の処理が行われる。
【００３１】
一方、分離された音声データ１０３６は、それぞれの音声チャンネル毎に、外符号誤り訂正手段１０１９において誤り訂正が行われる。誤り訂正後の音声データは、デシャフリング手段１０２０において、チャンネル毎にシャフリングされたデータをもとの順番に戻すデシャフリング処理が行われる。デシャフリングされた音声データは、サンプリング周波数逆変換手段１０２１をそのまま通過し、２チャンネルずつにまとめて、出力処理手段１０２２、１０２３において、ＡＥＳ／ＥＢＵで規定されたシリアルディジタル信号に変換され、出力端子１０３８，１０３９より出力される。
【００３２】
次に、入力端子１０４０に、走査線数１１２５本、有効走査線数１０８０本、フレーム周波数２４Ｈｚの順次走査方式の映像信号（２４ｐ信号）が入力された場合について説明する。
【００３３】
フレーム周波数２４Ｈｚの映像信号を記録する場合は、信号処理部全体の等価的な周波数を、フレーム周波数３０Ｈｚ（フィールド周波数６０Ｈｚ）の映像信号を記録する場合に比べて２４／３０に落として記録を行い、ＶＴＲの動作するフレーム周波数が２４Ｈｚとなる
入力端子１０４０には、映画素材から作成された走査線数１１２５本、有効走査線数１０８０本、フレーム周波数２４Ｈｚの順次走査方式の映像信号（２４ｐ信号）が入力される。
【００３４】
入力処理手段１００５で、入力から映像データが取り出される。圧縮符号化手段１００７において２４ｐ信号の読み出し順序を変えて擬似的な飛び越し走査信号に変換した後、フィールド単位でＤＣＴ（Discrete Cosine Transform）を用いた圧縮符号化が行われて、データ量が約１／４に圧縮された映像符号化データを得る。映像符号化データは、外符号付加手段１００８において、誤り訂正のために外符号パリティが付加され、多重化手段１００９に送られる。外符号は、リードソロモン符号ＲＳ（１２８，１２０）符号であり、１２０バイトの映像データにつき８バイトの外符号パリティが付加される。映像データのデータ量は、６０ｉ信号を記録する場合と、２４ｐ信号を記録する場合で、１フィールド当たりのデータ量は全く同一となる。従って、全く同一のブロック構成を用いて、等価的な動作周波数を、６０ｉ信号の場合と比べて、２４／３０倍とすることで２４ｐ信号を記録することができる。
【００３５】
次に、２４ｐ信号を記録する場合の音声信号の処理方法について説明する。
【００３６】
図１１において、入力端子１０３０には、ＡＥＳ／ＥＢＵで規定されたディジタル音声信号のチャンネル１とチャンネル２の音声信号が入力される。また、入力端子１０３１には、チャンネル３およびチャンネル４のディジタル音声信号が入力される。音声信号のサンプリング周波数は４８ｋＨｚ、ビット数は２０ビットである。
【００３７】
入力処理手段１０００，１００１において、記録すべき音声データが取り出される。取り出された音声データは、サンプリング周波数変換手段１００２において、サンプリング周波数が変換される。
【００３８】
次に、サンプリング周波数の変換について詳しく説明する。
【００３９】
映像信号のフレーム周波数が３０Ｈｚの場合、４８ｋＨｚでサンプリングされたディジタル音声信号の、１チャンネル１フレーム当たりの音声サンプル数は、４８０００／３０＝１６００（サンプル）となるが、フレーム周波数が２４Ｈｚの場合、１チャンネル１フレーム当たりの音声サンプル数は、４８０００／２４＝２０００（サンプル）となり、フレーム当たりのサンプル数が異なるため、このままでは記録ができない。
【００４０】
そこで、ディジタルフィルタを用いて音声のサンプリング周波数を、４８０００×２４／３０＝３８４００（Ｈｚ）に変換する。サンプリング周波数３８．４ｋＨｚに変換された音声信号の１チャンネル１フレーム当たりの音声サンプル数は、３８４００／２４＝１６００（サンプル）となり、フレーム周波数３０Ｈｚの場合と同一となり、以降同一の信号処理方式を用いてテープ上に記録することが可能となる。
【００４１】
以上の理由により、サンプリング周波数変換手段１００２において、サンプリング周波数が４８ｋＨｚから３８．４ｋＨｚに変換される。
【００４２】
次に、サンプリング周波数が変換された音声データは、シャフリング手段１００３において、シャフリングが行われる。シャフリング方法は、６０ｉ信号の場合と異なっていてもよいが、６０ｉ信号の場合と同一にすれば回路構成が簡単となる。シャフリングされた音声データには、それぞれのチャンネル毎に外符号付加手段１００４において外符号パリティが付加され、多重化手段１００９に送られる。外符号付加手段１００４の動作は６０ｉ信号の場合と同一で、図１２に外符号の構成を示す。図１２は音声１チャンネル１フィールド当たりの外符号と内符号から構成される積符号の構成を示している。図１２において縦方向が外符号ブロック、横方向が内符号ブロックとなる。但し図１２において内符号ブロックの内符号パリティは省略している。外符号はリードソロモン符号、ＲＳ（１６，８）であり、図１２に示すように音声データ８バイト分につき８バイトの外符号パリティが付加される。音声サンプルは、１サンプルが２０ビットなので１サンプル当たり２．５バイトが必要であり、図１２に示すように１チャンネル１フィールド当たりで記録可能な音声サンプル数は、８５／２．５×３×８＝８１６（サンプル）となる。一方、サンプリング周波数が３８．４ｋＨｚに変換された音声データの１チャンネル１フィールド当たりの音声サンプル数は、３８４００／４８＝８００（サンプル）である。従って、記録可能な音声サンプル数が８００サンプル以上となり、十分な記録容量が確保されている。
【００４３】
多重化手段１００９以降の処理は、６０ｉ信号が入力された場合と全く同一であるが、それぞれのブロックの等価的な動作周波数が、２４／３０倍されている。また、６０ｉ信号の場合と２４ｐ信号の場合で、１フィールド当たりのデータ量が全く等しいため、ＩＤ付加手段１０１０で付加するＩＤ番号も全く同一となる。また、記録信号１０３４の周波数も６０ｉ信号の場合に比べて２４／３０倍されているが、ドラム回転数も２４／３０倍とすることでテープ上に記録されるトラックのトラック幅やトラックの傾き等は全く同一となる。
【００４４】
また、再生側の処理も６０ｉ信号の場合とほぼ同一であるが、音声データはサンプリング周波数逆変換手段１０２１で、サンプリング周波数が、３８．４ｋＨｚから４８ｋＨｚに変換され、出力端子１０３８，１０３９から出力される。
【００４５】
【発明が解決しようとする課題】
しかしながら、上記の方法では、音声のサンプリング周波数を変換するためにディジタルフィルタを使用する。そのため、ディジタルフィルタのタップ数やビット数の制限によって、変換後の音質が劣化するという問題点があった。また、サンプリング周波数が下がるため、元々の音声の周波数帯域を制限しなければ折り返し歪みが発生するため、入力する音声の周波数帯域を制限する必要が生じてしまうという問題点があった。
【００４６】
本発明は、上記問題点を解決するもので、従来の構成のＶＴＲの大部分をそのまま利用しながら音声信号の音質を劣化させずに、２４ｐ信号等のフレーム周波数の異なる映像信号を音声信号とともに記録再生できるＶＴＲを提供することを目的とする。
【００４７】
【課題を解決するための手段】
上記目的を達成するために、本発明は、フレーム周波数が異なる複数の映像信号を記録する装置であって、映像信号の１フィールドまたは１フレーム当たりに記録する音声信号のデータ量の差を、付加する積符号の外符号のパリティ数を変えることで吸収し、１フィールドまたは１フレーム当たりの音声信号の総データ量を同一とし、フレーム周波数に依らず記録媒体上の同一サイズの記録エリアに音声記録データを記録するものである。
【００４８】
これにより、映像信号のフレーム周波数が変わっても、音声信号のサンプリング周波数を変換することなく、映像信号と音声信号とを記録することができる。
【００４９】
【発明の実施の形態】
本発明の第１の発明は、第１の動作モードとして第１の映像信号と第１の音声信号とを、第２の動作モードとして前記第１の映像信号よりフレーム周波数が低い第２の映像信号と前記第１の音声信号と単位時間当たりのデータ量がほぼ同一の第２の音声信号とを、動作モードにより選択的に記録する装置であって、動作モードに応じて、前記第１の映像信号または前記第２の映像信号を入力し、入力された映像信号とフレーム周波数が同一の映像記録データを得る映像処理手段と、動作モードに応じて、前記第１の音声信号または前記第２の音声信号を入力し、対応する第１または第２の映像信号の１フィールドまたは１フレーム期間内に入力される音声信号に外符号と内符号から構成される積符号を付加して音声記録データを得る音声処理手段と、前記映像記録データと前記音声記録データとを、記録媒体にディジタル記録するための処理を行う記録処理手段とを備え、第２の動作モードにおいて、前記音声処理手段で音声信号に付加される外符号のパリティ数を、第１の動作モードの場合より少なくし、動作モードに関わらず音声記録データを前記記録媒体の同一サイズの記録エリアに記録することを特徴とするものである。
【００５０】
また、本発明の第２の発明は、第１の動作モードとして第１の映像信号と第１の音声信号とを、第２の動作モードとして前記第１の映像信号よりフレーム周波数が低い第２の映像信号と前記第１の音声信号と単位時間当たりのデータ量がほぼ同一の第２の音声信号とを、動作モードにより選択的に記録する装置であって、動作モードに応じて、前記第１の映像信号または前記第２の映像信号を入力し、入力された映像信号とフレーム周波数が同一の映像記録データを得る映像処理手段と、動作モードに応じて、前記第１の音声信号または前記第２の音声信号を入力し、対応する第１または第２の映像信号の１フィールドまたは１フレーム期間内に入力される音声信号に外符号と内符号から構成される積符号を付加して音声記録データを得る音声処理手段と、前記映像記録データと前記音声記録データとを、記録媒体にディジタル記録するための処理を行う記録処理手段とを備え、１フィールドまたは１フレーム期間当たりの音声記録データのデータ量が、第１の動作モード時と第２の動作モード時とで同じになるように、第１の動作モード時は音声記録データにダミーデータを付加し、動作モードに関わらず音声記録データを前記記録媒体の同一サイズの記録エリアに記録することを特徴とするものである。
【００５１】
また、本発明の第３の発明は、第１の映像データと第１の音声データとを記録媒体にディジタル記録する第１の記録フォーマットをもとに、さらに音声拡張データを記録可能とした第２の記録フォーマットで記録する、または前記第１の映像データよりフレーム周波数が低い第２の映像データと第２の音声データとを記録可能とした第３の記録フォーマットで記録する装置であって、前記第１の記録フォーマットは、前記第１の映像データと前記第１の音声データとに、外符号と内符号からなる積符号を付加して記録するものであり、前記第２の記録フォーマットは、前記第１の映像データと前記第１の音声データと前記音声拡張データとに、外符号と内符号からなる積符号を付加して記録するものであり、前記第３の記録フォーマットは、前記第２の映像データと前記第２の音声データとに、外符号と内符号からなる積符号を付加して記録するものであり、前記第１の映像データを入力し、前記第１または第２の記録フォーマットのデータ形式の第１の映像記録データを得る、または前記第２の映像データを入力し、前記第３の記録フォーマットのデータ形式の第２の映像記録データを得る映像処理手段と、前記第１の音声データを入力し、前記第１の記録フォーマットのデータ形式の第１の音声記録データを得る第１の音声処理手段と、前記音声拡張データを入力し、前記第２の記録フォーマットのデータ形式の第２の音声記録データを得る第２の音声処理手段と、前記第２の音声データを入力し、前記第３の記録フォーマットのデータ形式の第３の音声記録データを得る第３の音声処理手段と、前記第１の映像記録データと前記第１、２の音声記録データとを、または前記第２の映像記録データと前記第３の音声記録データとを記録媒体に記録するための処理を行う記録処理手段とを備え、第１の音声記録データと第２の音声記録データとにダミーデータを追加し、記録媒体上に記録されるデータ量を第３の音声記録データと同一とすることを特徴とするものである。
【００５２】
以下、本発明の実施の形態について図面を用いて説明する。
【００５３】
（実施の形態１）
図１は、本発明の実施の形態１による記録再生装置の構成を示すブロック図である。
【００５４】
図１は、走査線数１１２５本、有効走査線数１０８０本、フレーム周波数２４Ｈｚの順次走査方式の映像信号（２４ｐ信号）、または走査線数１１２５本、有効走査線数１０８０本、フィールド周波数６０Ｈｚの飛び越し走査方式の映像信号（６０ｉ信号）を、４チャンネル分の音声信号とともに記録再生を行うディジタルＶＴＲの構成を一例として示したブロック図である。
【００５５】
また、ドラム上のヘッド配置は、図１３と同一、テープ上のトラックパターンも図１４と同一で、１フィールド期間は４チャンネル３セグメント、合計１２トラックで構成される。
【００５６】
本発明は、２４ｐ信号を記録再生する場合と、６０ｉ信号を記録再生する場合で、映像データ１フィールド当たりの音声サンプル数が異なるが、これを音声データに付加する外符号パリティ数を変化させて１フィールド当たりの音声サンプル数の差を吸収し、１フィールド当たりの音声記録データの総量を同一とすることで、記録媒体上の同一サイズの記録エリアに音声記録データを記録できるようにしたものである。
【００５７】
以下、図１を用いて詳細に説明する。なお、図１において、図１１で示した従来例と同一の符号を付加したものは、従来例と同一の動作を行うものであるとする。
【００５８】
まず、入力端子１０４０に、２４ｐ信号が入力された場合について、以下で説明する。２４ｐ信号が入力された場合、ＶＴＲの動作するフレーム周波数が２４Ｈｚとなる。
【００５９】
入力処理手段１００５で、入力から映像信号データが取り出される。次に、圧縮符号化手段１００７において２４ｐ信号の読み出し順序を変えて擬似的な飛び越し走査信号に変換した後、フィールド単位でＤＣＴ（Discrete Cosine Transform）を用いた圧縮符号化が行われて、データ量が約１／４に圧縮された映像符号化データを得る。
【００６０】
映像符号化データは、外符号付加手段１００８において、誤り訂正のために外符号パリティが付加され、外符号が付加された映像データ６は、多重化手段１００９に送られる。
【００６１】
次に音声信号の処理について説明する。図１において、入力端子１０３０には、ＡＥＳ／ＥＢＵで規定されたディジタル音声信号のチャンネル１とチャンネル２の音声信号が入力される。また、入力端子１０３１には、同じくチャンネル３およびチャンネル４のディジタル音声信号が入力される。音声信号のサンプリング周波数は４８ｋＨｚ、ビット数は２０ビットである。
【００６２】
入力処理手段１０００，１００１において、各々記録すべき音声データが取り出され、シャフリング手段１において、それぞれのチャンネル毎でシャフリング処理が行われる。シャフリングされた音声データには、それぞれのチャンネル毎に外符号付加手段２において外符号パリティが付加される。図２は、音声１チャンネル１フィールド当たりの外符号と内符号から構成される積符号の構成を示している。図２において、縦方向が外符号ブロック、横方向が内符号ブロックとなる。但し図２において内符号ブロックの内符号パリティは省略している。図２に示すように外符号はＲＳ（１６，１０）であり、音声データ１０バイトにつき６バイトの外符号パリティが付加される。
【００６３】
図２に示すように１チャンネル１フィールド当たりに記録可能な音声サンプル数は、１サンプル当たり２．５バイトが必要であるため、８５／２．５×３×１０＝１０２０（サンプル）となる。すなわち、フレーム周波数が２４Ｈｚ（フィールド周波数が４８Ｈｚ）の場合、４８ｋＨｚでサンプリングされたディジタル音声信号の、１チャンネル１フィールド当たりのサンプル数は、４８０００／４８＝１０００（サンプル）であるため、十分な記録容量が確保されている。
【００６４】
次に、多重化手段１００９において、音声データ５と映像データ６を多重化する。多重化された映像データと音声データは、それぞれ記録されるヘッドに対応するチャンネル毎に分割され、ＩＤ付加手段１０１０においてＩＤ番号が付加される。
【００６５】
次に、ＩＤ付加手段１０１０の出力には、内符号付加手段１０１１において内符号パリティが付加される。内符号ブロックの構成は図１８に示したものと同一であり、２バイトのＩＤ部と８５バイトのデータ部に対し、８バイトの内符号パリティが付加される。内符号パリティを付加した後、同期信号付加手段１０１２において、２バイトの同期信号を先頭に付加し、図１８に示すような、同期ブロックを構成する。同期信号付加手段１０１２の出力は、変調手段１０１３において８−１４変調され、記録信号７がテープ上に記録される。
【００６６】
テープ上には、図１５と同一のフォーマットで、２個のビデオセクタと、４個のオーディオセクタが構成される。
【００６７】
次に、入力端子１０４０に、走査線数１１２５本、有効走査線数１０８０本、フィールド周波数６０Ｈｚの飛び越し走査方式の映像信号（６０ｉ信号）が入力された場合について以下で説明する。６０ｉ信号が入力された場合、ＶＴＲの動作するフレーム周波数は３０Ｈｚとなる。
【００６８】
入力処理手段１００５で、入力から映像信号データが取り出され、圧縮符号化手段１００７において、フィールド単位でＤＣＴを用いた圧縮符号化が行われて、データ量が約１／４に圧縮された映像符号化データを得る。映像符号化データは、外符号付加手段１００８において、誤り訂正のために外符号パリティが付加され、多重化手段１００９に送られる。圧縮符号化手段１００７および外符号付加手段１００８の動作は、２４ｐ信号が入力された場合と全く同じであるが、等価的な動作周波数が２４ｐ信号の場合と比較して３０／２４倍されている。
【００６９】
次に、６０ｉ信号が入力された場合の音声信号の処理について説明する。
【００７０】
入力端子１０３０、入力端子１０３１には、サンプリング周波数が４８ｋＨｚ、ビット数が２０ビットであるＡＥＳ／ＥＢＵで規定されたディジタル音声信号が入力される。入力処理手段１０００，１００１において記録すべき音声データが取り出され、シャフリング手段１において、それぞれのチャンネル毎でシャフリング処理が行われる。シャフリングされた音声データには、それぞれのチャンネル毎で外符号付加手段２において外符号が付加される。６０ｉ信号の場合、シャフリング手段１および外符号付加手段２の動作方法は２４ｐ信号の場合と異なり、動作モードを切り替えて処理を行う。図２は音声１チャンネル１フィールド当たりの外符号と内符号から構成される積符号の構成を示している。外符号は、図２で示すＲＳ（１６，８）であり、音声データ８バイトにつき８バイトの外符号パリティが付加される。
【００７１】
図２に示すように１チャンネル１フィールド当たりに記録可能な音声サンプル数は、１サンプル当たり２．５バイトが必要であるため、８５／２．５×３×８＝８１６（サンプル）となる。すなわち、フレーム周波数が３０Ｈｚ（フィールド周波数が６０Ｈｚ）の場合、４８ｋＨｚでサンプリングされたディジタル音声信号の、１チャンネル１フィールド当たりのサンプル数は、４８０００／６０＝８００（サンプル）であるので、十分な記録容量が確保されている。
【００７２】
多重化手段１００９以降の処理は、２４ｐ信号が入力された場合と全く同一であるが、それぞれのブロックの等価的な動作周波数が、３０／２４倍されている。
【００７３】
記録信号７の周波数も２４ｐ信号の場合に比べて３０／２４倍されているが、ドラム回転数も３０／２４倍とすることでテープ上に記録されるトラックのトラック幅やトラックの傾き等は全く同一となる。
【００７４】
以上のように、本実施の形態においては、２４ｐ信号を記録する場合と、６０ｉ信号を記録する場合において、音声データに付加する外符号パリティ数を変えることで、外符号長を等しくし、音声記録データ量を同一としている。そうすることで、フレーム周波数が異なる映像信号を記録する場合において、音声信号のサンプリング周波数やビット数を保ったまま、音声データを記録テープ上の全く同一サイズの記録エリア上に記録することが可能となった。すなわち、音声信号のサンプリング周波数を変換しないため音質劣化は発生しない。
【００７５】
また、１フィールド当たりに記録する音声データのデータ量が同一であるため、多重化手段１００９以降、変調手段１０１３までをすべて共用化できコストダウンが可能となる。
【００７６】
なお、本実施の形態では、６０ｉ信号を記録再生する場合が第１の動作モードに相当し、２４ｐ信号を記録再生する場合が第２の動作モードに相当する。
【００７７】
また、本実施の形態における入力処理手段１００５、圧縮符号化手段１００７、外符号付加手段１００８によって映像処理手段が構成され、また、入力処理手段１０００、入力処理手段１００１、シャフリング手段１、外符号付加手段２によって音声処理手段が構成される。また、多重化手段１００９、ＩＤ付加手段１０１０、内符号付加手段１０１１、同期信号付加手段１０１２、変調手段１０１３によって記録処理手段が構成される。
【００７８】
なお、本実施の形態においては、映像信号とともに音声信号を記録するとしたが、音声信号に限定するものではなく、例えば記録されている信号の属性等を表すメタデータ（meta data）を記録してもよい。
【００７９】
また、本実施の形態においては、フレーム周波数２４Ｈｚの映像信号とフィールド周波数６０Ｈｚの信号を選択して記録するものとしたが、この組み合わせに限定するものではなく、例えば、フィールド周波数５０Ｈｚとフィールド周波数６０Ｈｚの映像信号を選択して記録するものであってもよい。フィールド周波数が５０Ｈｚの場合でも、音声データの外符号をＲＳ（１６，１０）とすることで、十分な記録領域が確保される。
【００８０】
また、本実施の形態においては、シャフリング手段１と外符号付加手段２の動作モードを２４ｐ信号の場合と６０ｉ信号の場合で切り替えるとしたが、入力信号の種類別に専用のシャフリング手段と外符号付加手段を持ってもよい。
【００８１】
また、多重化手段１００９の位置も本構成に限定されるものではなく、外符号付加手段２、外符号付加手段１００８等と共用化してもよい。
【００８２】
また、２４ｐ信号を記録する場合、音声データに付加する外符号パリティ数が減少し誤り訂正能力が若干低下するが、もともと内符号を付加し積符号を構成しており、十分な訂正能力を持っているため、この程度の能力低下では全く問題は生じない。
【００８３】
（実施の形態２）
図３は、本発明の実施の形態２による記録再生装置の構成を示すブロック図である。図３は、２４ｐ信号または６０ｉ信号を、４チャンネル分の音声信号とともに記録再生を行うディジタルＶＴＲの構成を一例として示したブロック図である。また、ドラム上のヘッド配置、テープ上のトラックパターン等は実施の形態１と同一とする。
【００８４】
本実施の形態は、２４ｐ信号を記録再生する場合と、６０ｉ信号を記録再生する場合で、映像データ１フィールド当たりの音声サンプル数が異なるが、これを音声データに付加する外符号パリティ数を同一とした上で、ダミーデータを付加することで１フィールド当たりの音声サンプル数の差を吸収し、１フィールド当たりの音声記録データの総量を同一とし、記録媒体上の同一サイズの記録エリアに音声記録データを記録できるようにしたものである。
【００８５】
以下、図３を用いて詳細に説明する。図３において、図１１で示した従来例と同一の符号を付加したブロックは、従来例と同一の動作を行うものであり、また図１で示した実施の形態１と同一の符号を付加したブロックは、実施の形態１と同一の動作を行うものであるので、詳細な説明は省略する。
【００８６】
まず、入力端子１０４０に２４ｐ信号が入力された場合について以下で説明する。２４ｐ信号が入力された場合、ＶＴＲの動作するフレーム周波数が２４Ｈｚとなる。映像信号の処理は、実施の形態１と同一なのでここでは省略し、音声信号の処理について説明する。
【００８７】
図３において、入力端子１０３０には、ＡＥＳ／ＥＢＵで規定されたディジタル音声信号のチャンネル１とチャンネル２の音声信号が入力される。また、入力端子１０３１には、同じくチャンネル３およびチャンネル４のディジタル音声信号が入力される。音声信号のサンプリング周波数は４８ｋＨｚ、ビット数は２０ビットである。
【００８８】
入力処理手段１０００、１００１において、記録すべき音声データが取り出され、シャフリング手段１０において、それぞれのチャンネル毎でシャフリング処理が行われる。シャフリングされた音声データには、それぞれのチャンネル毎に外符号付加手段１１において外符号パリティが付加される。図４は音声１チャンネル１フィールド当たりの外符号と内符号から構成される積符号の構成を示している。図４において縦方向が外符号ブロック、横方向が内符号ブロックとなる。但し図４において内符号ブロックの内符号パリティは省略している。図４に示すように外符号はＲＳ（１８，１０）であり、音声データ１０バイトにつき８バイトの外符号パリティが付加される。
【００８９】
図４に示すように１チャンネル１フィールド当たりに記録可能な音声サンプル数は、１サンプル当たり２．５バイトが必要であるため、８５／２．５×３×１０＝１０２０（サンプル）となる。すなわち、フレーム周波数が２４Ｈｚ（フィールド周波数が４８Ｈｚ）の場合、４８ｋＨｚでサンプリングされたディジタル音声信号の、１チャンネル１フィールド当たりのサンプル数は、４８０００／４８＝１０００（サンプル）であるため、十分な記録容量が確保されている。
【００９０】
次に、多重化手段１００９において、音声データ１５と映像データ６とを多重化する。
【００９１】
多重化された映像データと音声データとは、それぞれ記録されるヘッドに対応するチャンネル毎に分割され、ＩＤ付加手段１３においてＩＤ番号が付加される。ＩＤ番号は、実施の形態１と比較して同期ブロックの数が増加しているため、実施の形態１とは若干異なる番号となる。ＩＤ付加手段１３以降の処理は実施の形態１と同一なのでここでは省略する。
【００９２】
次に、入力端子１０４０に、６０ｉ信号が入力された場合について以下で説明する。６０ｉ信号が入力された場合、ＶＴＲの動作するフレーム周波数は３０Ｈｚとなる。６０ｉ信号が入力された場合も、映像信号の処理は実施の形態１と同一なのでここでは省略し、音声信号の処理について説明する。
【００９３】
入力端子１０３０、１０３１には、サンプリング周波数が４８ｋＨｚ、ビット数が２０ビットであるＡＥＳ／ＥＢＵで規定されたディジタル音声信号が入力される。入力処理手段１０００、１００１において記録すべき音声データが取り出され、シャフリング手段１０において、それぞれのチャンネル毎でシャフリング処理が行われる。シャフリングされた音声データには、それぞれのチャンネル毎で外符号付加手段１１において外符号が付加される。６０ｉ信号の場合、シャフリング手段１０および外符号付加手段１１の動作方法は２４ｐ信号の場合と異なり、動作モードを切り替えて処理を行う。外符号は、図４で示すＲＳ（１６，８）であり、２４ｐ信号の場合と同じく音声データ８バイトにつき８バイトの外符号パリティが付加される。
【００９４】
図４に示すように１チャンネル１フィールド当たりに記録可能な音声サンプル数は、１サンプル当たり２．５バイトが必要であるため、８５／２．５×３×８＝８１６（サンプル）となる。すなわち、フレーム周波数が３０Ｈｚ（フィールド周波数が６０Ｈｚ）の場合、４８ｋＨｚでサンプリングされたディジタル音声信号の、１チャンネル１フィールド当たりのサンプル数は、４８０００／６０＝８００（サンプル）であるので、十分な記録容量が確保されている。
【００９５】
次に、ダミーデータ発生手段１２において同期ブロック６個分に相当するデータ量のダミーデータを発生する。図４にダミーデータのブロックの構成を合わせて示しているが、６０ｉ信号の場合にダミーデータを追加することで、２４ｐ信号の場合と６０ｉ信号の場合とで、テープ上に記録する、誤り訂正符号を含む音声データの総量を同一としている。なお、図４においては、ダミーデータ部は外符号に含まれない。
【００９６】
多重化手段１００９以降の処理は、２４ｐ信号が入力された場合と全く同一であるが、それぞれのブロックの等価的な動作周波数が、３０／２４倍されている。また、記録信号１６の周波数も２４ｐ信号の場合に比べて３０／２４倍されているが、ドラム回転数も３０／２４倍とすることでテープ上のに記録されるトラックのトラック幅やトラックの傾き等は全く同一となる。
【００９７】
以上のように、本実施の形態においては、２４ｐ信号を記録する場合と、６０ｉ信号を記録する場合において、音声データに付加する外符号パリティ数を同一とし、外符号長が異なるが、ダミーデータを追加することで音声記録データ量を同一としている。そうすることで、フレーム周波数が異なる映像信号を記録する場合において、音声信号のサンプリング周波数やビット数を保ったまま、音声データを記録テープ上の全く同一サイズの記録エリア上に記録することが可能となった。すなわち、音声信号のサンプリング周波数を変換しないため音質劣化は発生しない。
【００９８】
また、１フィールド当たりに記録する誤り訂正符号を含む音声データのデータ量が同一であるため、多重化手段１００９以降、変調手段１０１３までの回路構成を全て共用化できコストダウンが可能となる。
【００９９】
また、外符号パリティの数を同一としているため、誤り訂正回路の共用化が可能となる。
【０１００】
なお、本実施の形態では、６０ｉ信号を記録再生する場合が第１の動作モードに相当し、２４ｐ信号を記録再生する場合が第２の動作モードに相当する。
【０１０１】
また、本実施の形態における入力処理手段１００５、圧縮符号化手段１００７、外符号付加手段１００８によって映像処理手段が構成され、また、入力処理手段１０００、入力処理手段１００１、シャフリング手段１０、外符号付加手段１１、ダミーデータ発生手段１２によって音声処理手段が構成される。また、多重化手段１００９、ＩＤ付加手段１３、内符号付加手段１０１１、同期信号付加手段１０１２、変調手段１０１３によって記録処理手段が構成される。
【０１０２】
なお、本実施の形態においては、映像信号とともに音声信号を記録するとしたが、音声信号に限定するものではなく、例えば記録されている信号の属性等を表すメタデータ等を記録してもよい。
【０１０３】
また、本実施の形態において、ダミーデータ部分にメタデータ等の制御データを記録してもよい。この場合、外符号が構成されない６個の同期ブロックを集めて新たな外符号ブロックを構成すれば、テープ上で発生する誤りに対する誤り訂正能力がさらに向上する。例えば、制御データを３個の同期ブロックに記録し、残りの３個の同期ブロックに外符号パリティを記録し、ＲＳ（６，３）符号を構成することで誤り訂正能力が向上する。
【０１０４】
また、本実施の形態においては、フレーム周波数２４Ｈｚの映像信号とフィールド周波数６０Ｈｚの信号を選択して記録するものとしたが、この組み合わせに限定するものではなく、例えば、フィールド周波数５０Ｈｚとフィールド周波数６０Ｈｚの映像信号を選択して記録するものであってもよい。フィールド周波数が５０Ｈｚの場合でも、音声データの外符号をＲＳ（１８，１０）とすることで、十分な記録領域が確保される。
【０１０５】
また、本実施の形態においては、シャフリング手段１０と外符号付加手段１１の動作モードを２４ｐ信号の場合と６０ｉ信号の場合で切り替えるとしたが、入力信号の種類別に専用のシャフリング手段と外符号付加手段を持ってもよい。
【０１０６】
また、多重化手段１００９の位置も本実施の形態における構成に限定されるものではなく、外符号付加手段１１、外符号付加手段１００８等と共用化してもよい。
【０１０７】
また、２４ｐ信号を記録する場合、音声データ数に対する外符号パリティ数が減少し誤り訂正能力が若干低下するが、もともと内符号を付加し積符号を構成しており、十分な訂正能力を持っているため、この程度の能力低下では全く問題は生じない。
【０１０８】
（実施の形態３）
図５は、本発明の実施の形態３による記録再生装置の構成を示すブロック図である。
【０１０９】
本実施の形態においては、４チャンネルの４８ｋＨｚでサンプリングされた２４ビットデータのディジタル音声信号が記録再生可能な記録再生装置の構成の一例を示している。
【０１１０】
図５において、図１で示した実施の形態１と同一の符号を付加したブロックは実施の形態１と同一の動作を行うものであり、図３で示した実施の形態２と同一の符号を付加したブロックは実施の形態２と同一の動作を行うものであり、また、図１１で示した従来例と同一の符号を付加したブロックは、従来例と同一の動作を行うものである。
【０１１１】
本実施の形態においては、従来例とほぼ同じブロック構成を用いながら、ビットレートを増大させることで従来フォーマットにおけるオーディオセクタを拡大し、そこに増加した音声データを記録するものである。
【０１１２】
図６に、従来のテープフォーマットと本実施の形態によるテープフォーマットの違いを示す。図６において、Ｇの記号を記した部分は、エディットギャップ部であることを示す。本実施の形態においては、テープ上に記録する記録信号のビットレートを上げて記録し、記録ビットレートを上げる、すなわちトラック方向の記録密度を上げることによって、各データ領域の面積を、データ量などはそのままで縮小することによって発生する空きエリアを用いて、各オーディオセクターをトラック方向に拡大し、拡大したエリアに音声データ２４ビットの下位４ビット分のデータおよびダミーデータを記録するか、もしくは２４ｐ信号を記録するために増加した音声データを記録するものである。
【０１１３】
本実施の形態においても、ドラム上のヘッド配置は、図１３に示したものと同一、テープ上のトラックパターンも図１４に示したものと同一で、１フィールド期間は４チャンネル３セグメント、合計１２トラックで構成される。
【０１１４】
まず、入力端子１０４０に、６０ｉ信号が入力された場合について以下で説明する。６０ｉ信号が入力された場合、ＶＴＲの動作するフレーム周波数は３０Ｈｚとなる。
【０１１５】
入力処理手段１００５で、入力から映像信号データが取り出され、圧縮符号化手段１００７において、フィールド単位でＤＣＴを用いた圧縮符号化が行われて、データ量が約１／４に圧縮された映像符号化データを得る。映像符号化データには、外符号付加手段１００８において、誤り訂正のために外符号パリティが付加され、外符号が付加された映像符号化データ３１は、多重化手段２５に送られる。
【０１１６】
次に６０ｉ信号が入力された場合の音声信号の処理について説明する。
【０１１７】
図５において、入力端子１０３０には、ＡＥＳ／ＥＢＵで規定されたディジタル音声信号のチャンネル１とチャンネル２の音声信号が入力される。また、入力端子１０３１には、チャンネル３およびチャンネル４のディジタル音声信号が入力される。音声信号のサンプリング周波数は４８ｋＨｚ、ビット数は２４ビットであるとする。
【０１１８】
入力処理手段１０００、１００１において記録すべき音声データ２４ビットが取り出され、上位２０ビット分はシャフリング手段１００３に出力される。シャフリング手段１００３において、それぞれのチャンネル毎でシャフリング処理が行われる。シャフリング方法は、従来例と全く同一とする。シャフリングされた上位２０ビット分の音声データには、それぞれのチャンネル毎に外符号付加手段１００４において外符号が付加される。図７は音声１チャンネル１フィールド当たりの外符号と内符号から構成される積符号の構成を示している。図７において、縦方向が外符号ブロック、横方向が内符号ブロックとなる。但し図７において内符号ブロックの内符号パリティは省略している。また、ダミーデータは外符号ブロックを構成しない。外符号付加手段１００４の動作は、従来例の場合と同一で、音声データ上位２０ビット分に付加する外符号は、図７に示すようにＲＳ（１６，８）であり、音声データ８バイトにつき８バイトの外符号パリティが付加される。
【０１１９】
図７に示すように音声データ上位２０ビットについて１チャンネル１フィールド当たりに記録可能な音声サンプル数は、１サンプル当たり２．５バイトが必要であるため、８５／２．５×３×８＝８１６（サンプル）となる。すなわち、フレーム周波数が３０Ｈｚ（フィールド周波数が６０Ｈｚ）の場合、４８ｋＨｚでサンプリングされたディジタル音声信号の、１チャンネル１フィールド当たりのサンプル数は、４８０００／６０＝８００（サンプル）であるので、十分な記録容量が確保されている。
【０１２０】
次に、入力処理手段１０００、１００１において取り出された音声２４ビットデータのうちの下位４ビット分の音声データは、シャフリング手段２０に出力される。シャフリング手段２０において、それぞれのチャンネル毎でシャフリング処理が行われる。シャフリングされた下位４ビット分の音声データには、それぞれのチャンネル毎に外符号付加手段２１において外符号が付加される。外符号付加手段２１では、音声データの下位４ビット分を２サンプル分集めて８ビットで１バイトデータとする。外符号は上位ビットと同様に図７に示すＲＳ（１６，８）であり、音声データ８バイトにつき８バイトの外符号パリティが付加される。
【０１２１】
図７に示すように音声データ下位４ビット分の１チャンネル１フィールド当たりに記録可能な音声サンプル数は、１サンプル当たり０．５バイトが必要であるため、８５／０．５×８＝１３６０（サンプル）であり、８００サンプル以上なので、下位ビットに関しても十分な記録容量が確保されている。
【０１２２】
ダミーデータ発生手段２２は、図７に示すようなダミーデータを同期ブロック８個分、すなわち（８５バイト×８）ワード発生する。多重化手段２３では、外符号付加手段１００４の出力する音声データの上位２０ビット分と外符号付加手段２１の出力する音声データの下位４ビット分とダミーデータ発生手段２２の出力するダミーデータを多重化する。多重化手段２３の出力する音声データは、図７に示すように１チャンネル１フィールド当たり合計で７２個（＝４×１８）の同期ブロックを構成する。１フィールド当たりのトラック数が１２個なので、１トラックには、１チャンネル当たり６個の同期ブロックが記録されることになる。
【０１２３】
次に、選択手段２４は多重化手段２３の出力を選択して音声データ３０を出力する。そして、多重化手段２５では、音声データ３０と映像データ３１を多重化する。
【０１２４】
多重化された映像データと音声データは、それぞれ記録されるヘッドに対応するチャンネル毎に分割され、ＩＤ付加手段２６においてＩＤ番号が付加される。付加されるＩＤ番号の定義は、従来例の図１６において説明したものと同一とする。
【０１２５】
次に、ＩＤ付加手段２６においてオーディオセクタに付加するＩＤ番号について説明する。図８は、付加するＩＤ番号のうちのブロック番号の値を示すものである。図８に示すように、オーディオセクタ内の前半４個の同期ブロックに付加するブロック番号は、従来例の図１７で示したＩＤ番号と同一の番号を付ける。つまり、ＩＤ番号のうちブロック番号は、180hから183h、または1C0hから1C3hとなる。一方、各セクタの後半２個の同期ブロックについては、従来例の図１７で示したＩＤ番号には存在しない番号を付ける。つまり、ＩＤ番号のうちブロック番号は、184h〜185h、1C4h〜1C5hとなる。なお、同一ブロック番号を付加したブロックは、セクタ番号で区別する。
【０１２６】
各セクタの前半４個の同期ブロックには、従来例と全く同一の形式で音声データのうち上位２０ビットのデータが記録され、各セクタの後半２個の同期ブロックに、音声データのうち下位４ビットのデータおよびダミーデータが記録される。
【０１２７】
次に、ＩＤ付加手段２６の出力には、内符号付加手段１０１１において内符号パリティが付加される。内符号ブロックの構成は図１８に示したものと同一であり、２バイトのＩＤ部と８５バイトのデータ部に対し、８バイトの内符号パリティが付加される。内符号パリティを付加した後、同期信号付加手段１０１２において、２バイトの同期信号を先頭に付加し、図１８に示すような、同期ブロックを構成する。同期信号付加手段１０１２の出力は、変調手段１０１３において８−１４変調され、記録信号３２がテープ上に記録される。記録信号のビットレートは、従来フォーマットに比べて数パーセント程度増加する。また、ビットレートが増加した分だけ、多重化手段２５、ＩＤ付加手段２６、内符号付加手段１０１１、同期信号付加手段１０１２、変調手段１０１３の動作周波数が、従来例に比して増加する。
【０１２８】
テープ上には、図９に示すようなフォーマットで、２個のビデオセクタ（ビデオセクタ１、ビデオセクタ２）と、４個のオーディオセクタ（オーディオセクタ１〜オーディオセクタ４）が構成される。図９で、Ａ１と示した部分にはチャンネル１の音声データが独立して記録され、同様に、Ａ２にチャンネル２、Ａ３にチャンネル３、Ａ４にチャンネル４の音声データが記録される。
【０１２９】
ビデオセクタとオーディオセクタの間および各オーディオセクタ間には、エディットギャップが設けられている。また、各オーディオセクタは従来例で示した図１５のフォーマットと同一のチャンネル配置である。図９に示すように、セグメント単位で、音声チャンネルの各オーディオセクタへの配置を変えることで、テープ上の長手方向に欠陥が発生した場合に特定のチャンネルにエラーが集中することを防止している。各オーディオセクタには、６個の同期ブロックが配置され、各ビデオセクタには２５６個の同期ブロックが配置される。また、既に説明を行ったように、各オーディオセクタ内の同期ブロックのうち前半の４個の同期ブロックに付加されたＩＤ番号は、従来例と全く同一となる。
【０１３０】
以上のような構成で図９に示すテープフォーマットで記録されたテープを、図１１に示すような従来の構成のＶＴＲで再生した場合、各オーディオセクタに記録されている同期ブロックのうち前半４個の同期ブロックに記録されている上位２０ビット分の音声データは、同期ブロックに付加されたＩＤ番号が同一であり、また、シャフリング方法や外符号付加方法が全く同一であるため、そのまま再生することが可能である。一方、ＩＤ番号が異なる各オーディオセクタの後半２個の同期ブロックに記録されている下位４ビット分の音声データは、ＩＤ番号が異なるためエラーとして扱われ無視される。以上の理由により、２４ビットの音声データが記録されているテープのうち、上位２０ビット分の音声データを再生することができ、フォーマットの下位互換が保たれる。２４ビットの音声データのうち上位２０ビット分を取り出して、２０ビットの音声データとして再生しても全く問題はない。
【０１３１】
図９のテープフォーマットは、図１５のテープフォーマットに比べてデータ量が数パーセント程度増加しているため、図９のテープフォーマットで記録されたテープを従来のＶＴＲで再生した場合、テープから再生される再生信号の周波数が数パーセント増加するが、±５０倍速程度までの高速再生やテープ再生速度を１５％程度変えて再生するプログラム再生のために、装置自体が予め余裕を持っているので、この程度の増加であれば問題は生じない。
【０１３２】
また、逆の場合、図１５に示すテープフォーマットで記録されたテープを、図５に示すような本実施の形態におけるＶＴＲで再生した場合（具体的な構成は、省略するが、記録と逆の処理を行うことは、当業者にとって自明である）、各オーディオセクタに記録されている上位２０ビット分の音声データは、同期ブロックに付加されたＩＤ番号が同一であるためそのまま再生することが可能であり、フォーマットの上位互換が保たれる。この場合、下位４ビットにはゼロを挿入して、２４ビットのデータとして再生するが、この場合でも音質の劣化を生じることはない。
【０１３３】
次に、２４ｐ信号が入力された場合について以下で説明する。２４ｐ信号が入力された場合、ＶＴＲの動作するフレーム周波数が２４Ｈｚとなる。
【０１３４】
入力処理手段１００５で、入力から映像信号データが取り出され、次に圧縮符号化手段１００７において２４ｐ信号の読み出し順序を変えて擬似的な飛び越し走査信号に変換した後、フィールド単位でＤＣＴを用いた圧縮符号化が行われて、データ量が約１／４に圧縮された映像符号化データを得る。映像符号化データには、外符号付加手段１００８において、誤り訂正のために外符号パリティが付加され、外符号が付加された映像符号化データ３１は、多重化手段２５に送られる。圧縮符号化手段１００７および外符号付加手段１００８の動作は、６０ｉ信号が入力された場合と全く同じであるが、等価的な動作周波数が、６０ｉ信号の場合と比較して２４／３０倍されている。
【０１３５】
入力端子１０３０には、ＡＥＳ／ＥＢＵで規定されたディジタル音声信号のチャンネル１とチャンネル２の音声信号が入力される。また、入力端子１０３１には、チャンネル３およびチャンネル４のディジタル音声信号が入力される。音声信号のサンプリング周波数は４８ｋＨｚ、ビット数は２４ビットであるとする。
【０１３６】
入力処理手段１０００、１００１において記録すべき音声データ２４ビットが取り出され、シャフリング手段２７において、それぞれのチャンネル毎でシャフリング処理が行われる。シャフリングされた音声データには、それぞれのチャンネル毎に外符号付加手段２８において外符号が付加される。図１０は音声１チャンネル１フィールド当たりの外符号と内符号から構成される積符号の構成を示している。図１０において縦方向が外符号ブロック、横方向が内符号ブロックとなる。但し図１０において内符号ブロックの内符号パリティは省略している。外符号は図１０に示すように、ＲＳ（１８，１０）であり、音声データ１０バイトにつき８バイトの外符号パリティが付加される。
【０１３７】
図１０に示すように１チャンネル１フィールド当たりに記録可能な音声サンプル数は、１サンプル当たり３バイトが必要であるため、８５／３×４×１０＝１１２０（サンプル）となる。すなわち、フレーム周波数が２４Ｈｚ（フィールド周波数４８Ｈｚ）の場合、４８ｋＨｚでサンプリングされたディジタル音声信号の、１チャンネル１フィールド当たりのサンプル数は、４８０００／４８＝１０００（サンプル）であるので、十分な記録容量が確保されている。
【０１３８】
次に、選択手段２４において、外符号付加手段２８の出力を選択し音声データ３０を出力し、多重化手段２５において、音声データ３０と映像データ３１を多重化する。
【０１３９】
多重化される音声データ３０は、図１０に示すように１チャンネル１フィールド当たり合計で７２個の同期ブロックを構成する。すなわち、多重化される音声データのデータ量は、図７と図１０に示すように６０ｉ信号を記録する場合と２４ｐ信号を記録する場合で１フィールド当たり全く同一のデータ量となる。
【０１４０】
多重化手段２５以降の処理は、６０ｉ信号が入力された場合と全く同一であるが、それぞれのブロックの等価的な動作周波数が、２４／３０倍されている。
【０１４１】
記録信号３２の周波数も６０ｉ信号の場合に比べて２４／３０倍されているが、ドラム回転数も２４／３０倍とすることでテープ上に記録されるトラックパターンのトラック幅や、トラックの傾きは全く同一となる。
【０１４２】
以上のように、本実施の形態においては、フレーム周波数が異なる映像信号を記録再生する場合、音声信号のサンプリング周波数やビット数を保ったまま、記録テープ上の同一形状のトラック上に、すなわち全く同一サイズの記録エリア上に記録することが可能となり、音声信号の音質劣化は発生しない。
【０１４３】
また、本実施例においては、６０ｉ信号を記録する場合と、２４ｐ信号を記録する場合で、音声データに付加する外符号パリティの個数を同一としたため、誤り訂正回路を共用化することが可能となり、コストダウンが可能となる。
【０１４４】
また、６０ｉ信号を記録する場合は、ダミーデータを挿入し、２４ｐ信号を記録する場合と記録する同期ブロックの数を同じとしているため、多重化手段２５以降変調手段１０１３まで全く同一のハードウエアを用いることが可能となった。
【０１４５】
さらに、ダミーデータを挿入するのではなく、例えば記録されている信号の属性等を表すメタデータ等を記録しても良いことはいうまでもない。
【０１４６】
さらに、ダミーデータ領域にメタデータ等の制御データを記録する場合に、外符号が構成されない８個の同期ブロックを集めて新たな外符号ブロックを構成すれば、テープ上で発生する誤りに対する誤り訂正能力がさらに向上する。例えば、メタデータを４個の同期ブロックに記録し、残りの４個の同期ブロックに外符号パリティを記録し、ＲＳ（８，４）符号を構成することで誤り訂正能力が向上する。
【０１４７】
なお、本実施の形態における入力処理手段１００５、圧縮符号化手段１００７、外符号付加手段１００８によって映像処理手段が構成され、入力処理手段１０００、入力処理手段１００１、シャフリング手段１００３、外符号付加手段１００４によって第１の音声処理手段が構成され、入力処理手段１０００、入力処理手段１００１、シャフリング手段２０、外符号付加手段２１によって第２の音声処理手段が構成され、入力処理手段１０００、入力処理手段１００１、シャフリング手段２７、外符号付加手段２８によって第３の音声処理手段が構成される。
【０１４８】
また、多重化手段２３、選択手段２４、多重化手段２５、ＩＤ付加手段２６、内符号付加手段１０１１、同期信号付加手段１０１２、変調手段１０１３によって記録処理手段が構成される。
【０１４９】
なお、本実施の形態においては、映像信号とともに音声信号を記録するとしたが、音声信号に限定するものではなく、例えば記録されている信号の属性等を表すメタデータとしてもよい。
【０１５０】
また、本実施の形態においては、フレーム周波数２４Ｈｚの映像信号とフィールド周波数６０Ｈｚの信号を選択して記録するものとしたが、この組み合わせに限定するものではなく、例えば、フィールド周波数５０Ｈｚとフィールド周波数６０Ｈｚの映像信号を選択して記録するものであってもよい。フィールド周波数が５０Ｈｚの場合でも、音声データの外符号をＲＳ（１８，１０）とすることで、音声データを記録するために十分な記録領域が確保される。
【０１５１】
また、本実施の形態においては、シャフリング手段２７と外符号付加手段２８、シャフリング手段１００３と外符号付加手段１００４およびシャフリング手段２０と外符号付加手段２１の３系列の処理手段を持つとしたが、シャフリング手段２７と外符号付加手段２８を実現するために必要なメモリ量は、シャフリング手段１００３と外符号付加手段１００４で必要なメモリ量とシャフリング手段２０と外符号付加手段２１で必要なメモリを加算したものより大きいので、シャフリング手段２７、シャフリング手段１００３、シャフリング手段２０を共用化することも可能である。同様に、外符号付加手段２８、外符号付加手段１００４、外符号付加手段２１も共用化が可能である。これらのブロックを共用化した場合、多重化手段２３、選択手段２４を持つ必要がなく、必要なメモリも共用化できるため、コストダウンが可能である。
【０１５２】
また、多重化手段２５の位置も本実施の形態における構成に限定されるものではなく、多重化手段２３、選択手段２４、外符号付加手段１００８等と共用化してもよい。
【０１５３】
また、２４ｐ信号を記録する場合、外符号パリティ数に対する音声データ数が増加し、誤り訂正能力が若干低下するが、もともと内符号を付加し積符号を構成しており、十分な訂正能力を持っているためこの程度の能力低下では全く問題はない。
【０１５４】
また、記録されたテープを再生するためには、手動で２４ｐ信号か６０ｉ信号かを切り替えて動作周波数を変更すればよい。また、テープカセット上にフォーマット識別用の穴等をあけておき記録フォーマットを判別するようにすれば、フォーマットの自動判別が可能となる。
【０１５５】
なお、２４ｐ信号を記録する場合、２４ｐ信号を記録できるＶＴＲがこれまで存在しなかったため、互換を考える必要はないが、各実施の形態に示すようにテープ上のトラック形状は６０ｉ信号を記録する場合と同一としておけばハードウエア構成を簡単にすることができる。
【０１５６】
また、本実施の形態においては、テープ上に記録する記録信号のビットレートを上げて記録し、記録ビットレートを上げる、すなわちトラック方向の記録密度を上げることによって、各データ領域の面積を、データ量などはそのままで縮小することによって発生する空きエリアを用いて、各オーディオセクタをトラック方向に拡大し、拡大したエリアに音声データの下位４ビット分のデータおよびダミーデータあるいは２４ｐ信号を記録するために増加した音声データを記録するものである。本実施の形態では、各オーディオセクタにおいて、オーディオセクタ内の同期ブロックの数を増やし、オーディオセクタをトラック方向に連続的に拡大することで、新たなエディットギャップを設ける必要がないので記録周波数の増大を最小限にすることができる。なお、各オーディオセクタをトラック方向に拡大するのではなく、テープの両端部分を含む全く別領域を設けて増加した音声データを記録してもよいことはいうまでもない。しかし、チャンネル毎に独立して編集することを考えれば、チャンネル毎に独立したセクタを設けて、各セクタ間にエディットギャップを設ける必要があり、エディットギャップを増やした分だけ記録周波数が増大する。
【０１５７】
また、本実施の形態１，２において、１フィールドまたは１フレーム期間に入力された音声信号に対して積符号を付加するとしたが、１フィールドまたはフレーム期間に限定するものではなく、映像データを処理する所定の期間内であればよい。
【０１５８】
また、前記各実施の形態においては、入力映像信号フォーマットは走査線数１１２５本、有効走査線数１０８０本の映像信号におけるフィールド周波数６０Ｈｚとフレーム周波数２４Ｈｚの組み合わせであるとしたが、走査線数１１２５本、有効走査線数１０８０本の映像信号におけるフィールド周波数６０Ｈｚの飛び越し走査信号とフィールド周波数５０Ｈｚの飛び越し走査信号の組み合わせや、走査線数７５０本、有効走査線数７２０本の映像信号におけるフレーム周波数６０Ｈｚの順走査信号とフレーム周波数４８Ｈｚの順次走査信号の組み合わせあるいはフレーム周波数３０Ｈｚの順次走査信号とフレーム周波数２４Ｈｚの順次走査信号の組み合わせであってもよい。また、走査線数５２５本の現行ＴＶ方式の映像信号における、フィールド周波数６０Hzの飛び越し走査信号とフレーム周波数２４Ｈｚの順次走査信号の組み合わせや、フレーム周波数６０Ｈｚの順次走査信号とフレーム周波数４８Ｈｚの順次走査信号の組み合わせであってもよい。
【０１５９】
上記いずれの組み合わせであっても、外符号を構成する音声データ数と外符号パリティ数の比率を映像信号の組み合わせに応じて変化させることで、音声信号のサンプリング周波数やビット数を同一とすることができる。
【０１６０】
また、フィールド周波数６０Ｈｚと表記したものは、フィールド周波数５９．９４Ｈｚであってもよいし、フレーム周波数２４Ｈｚと表記したものは、フレーム周波数２３．９７６Ｈｚであってもよい。
【０１６１】
【発明の効果】
本発明によれば、６０ｉ信号と２４ｐ信号等のように、フレーム周波数が異なる映像信号を記録する場合でも、音声信号の音質劣化を生じさせることなく、記録再生を行うことができる。また、フレーム周波数が低い映像信号（例えば、２４ｐ信号等）を記録再生するＶＴＲを、これより高いフレーム周波数の映像信号（例えば、６０ｉ信号）を記録再生する従来のＶＴＲと全く同一のドラム、ヘッド構成を用いて、ハードウエアの大部分を共用しながら若干の変更を加えるだけで簡単に実現することが可能となる。
【０１６２】
また、従来のＶＴＲと全く同一のドラム、ヘッド構成を用いて、ハードウエアの大部分を共用できるため、開発期間や開発コストを減少させることが可能となる。
【０１６３】
また、より高音質な音声信号を記録した場合でも、従来のＶＴＲとの上位互換および下位互換を実現することが可能となる。
【図面の簡単な説明】
【図１】本発明の実施の形態１による記録再生装置の構成を示すブロック図
【図２】同記録再生装置における音声信号の積符号ブロックの構成図
【図３】本発明の実施の形態２による記録再生装置の構成を示すブロック図
【図４】同記録再生装置における音声信号の積符号ブロックの構成図
【図５】本発明の実施の形態３による記録再生装置の構成を示すブロック図
【図６】同記録再生装置におけるテープフォーマットと従来のテープフォーマットを比較した図
【図７】同記録再生装置における音声信号の積符号ブロック（６０ｉ信号の場合）の構成図
【図８】同記録再生装置における同期ブロック毎のＩＤ番号の値を示す図
【図９】同記録再生装置におけるテープ上の記録パターンの一例を示す図
【図１０】同記録再生装置における音声信号の積符号ブロック（２４ｐ信号の場合）の構成図
【図１１】従来の記録再生装置の構成の一例を示すブロック図
【図１２】同記録再生装置における音声信号の積符号ブロックの構成図
【図１３】同記録再生装置におけるドラム上でのヘッド配置図
【図１４】同記録再生装置におけるテープ上でのトラック配置を示した図
【図１５】同記録再生装置におけるテープ上での記録パターンを示す図
【図１６】同記録再生装置における同期ブロック毎に割り当てられたＩＤ番号の定義の説明図
【図１７】同記録再生装置における同期ブロック毎のＩＤ番号の値を示す図
【図１８】同記録再生装置における同期ブロックおよび内符号ブロックの構成図
【符号の説明】
１  シャフリング手段
２  外符号付加手段
１０００、１００１  音声信号の入力処理手段
１００５  映像信号の入力処理手段
１００７  圧縮符号化手段
１００８  外符号付加手段
１００９  多重化手段
１０１０  ＩＤ付加手段
１０１１  内符号付加手段
１０１２  同期信号付加手段
１０１３  変調手段
【図１】
0003651334.tif 000002
【図２】
0003651334.tif 000003
【図３】
0003651334.tif 000004
【図４】
0003651334.tif 000005
【図５】
0003651334.tif 000006
【図６】
0003651334.tif 000007
【図７】
0003651334.tif 000008
【図８】
0003651334.tif 000009
【図９】
0003651334.tif 000010
【図１０】
0003651334.tif 000011
【図１１】
0003651334.tif 000012
【図１２】
0003651334.tif 000013
【図１３】
0003651334.tif 000014
【図１４】
0003651334.tif 000015
【図１５】
0003651334.tif 000016
【図１６】
0003651334.tif 000017
【図１７】
0003651334.tif 000018
【図１８】
0003651334.tif 000019